(57)【要約】【課題】犬の歩様別の運動量を反映させた、精度の高いエネルギー量の算出を可能とする犬用運動管理装置を提供することを目的とする。【解決手段】犬の左右各脚の歩数を各々独立に検出する左右１対の歩数検出手段と、前記各歩数の検出のタイミングを比較して、犬の歩様を判別する歩様判別手段と、犬の体重を入力する体重入力手段と、前記各歩数と体重とから、前記歩様に伴う消費エネルギー量を算出する消費エネルギー量算出手段とを有することから、犬の運動量を正確に反映させた消費エネルギー量を算出することができ、精度の高い運動管理が可能である。【選択図】        図１
2005087442.tif 000002
【特許請求の範囲】
【請求項１】
犬の左右各脚の歩数を各々独立に検出する左右１対の歩数検出手段と、
前記各歩数の検出のタイミングを比較して、犬の歩様を判別する歩様判別手段と、
犬の体重を入力する体重入力手段と、
前記各歩数と体重とから、前記歩様に伴う消費エネルギー量を算出する消費エネルギー量算出手段とを有することを特徴とする犬用運動管理装置。
【請求項２】
犬の除脂肪量を入力する除脂肪量入力手段と、前記除脂肪量に基づいて安静時エネルギー量を算出する安静時エネルギー量算出手段とを更に有することを特徴とする請求項１記載の犬用運動管理装置。
【請求項３】
前記消費エネルギー量と安静時エネルギー量とから、１日に必要なエネルギー量を算出するエネルギー必要量算出手段を更に有することを特徴とする請求項２記載の犬用運動管理装置。
【請求項４】
前記除脂肪量入力手段は、少なくとも犬の体長と胴周囲径とを入力する形態計測値入力手段を更に有し、前記形態計測値に基づいて除脂肪量を算出して入力することを特徴とする請求項２記載の犬用運動管理装置。
【請求項５】
前記除脂肪量入力手段は、犬のインピーダンスを測定するインピーダンス測定手段を更に有し、前記インピーダンスに基づいて除脂肪量を算出して入力することを特徴とする請求項２記載の犬用運動管理装置。
【請求項６】
前記体重入力手段は、少なくとも犬の体長と胴周囲径とを入力する形態計測値入力手段を更に有し、前記形態計測値に基づいて体重を算出して入力することを特徴とする請求項１記載の犬用運動管理装置。
【請求項７】
前記歩様判別手段は、脚を左右交互に動かすトロット歩行と、左右同時に動かすギャロップ歩行とを判別することを特徴とする請求項１記載の犬用運動管理装置。
【発明の詳細な説明】
【技術分野】
【０００１】
本発明は、犬の歩様別の運動量を反映させた、精度の高いエネルギー量の算出を可能とする犬用運動管理装置に関する。
【背景技術】
【０００２】
従来、動物用の歩数計においては、歩行時の振動を検出してカウントし、運動量及び消費エネルギー量を算出するものがあった（例えば、特許文献１参照。）。
【０００３】
また、体重値に基づいて安静時エネルギー量を算出する、安静時エネルギー量＝７０×（体重）０．７５なる算出式が開示されている。更に１日に必要なエネルギー量を求めるのに前記算出した安静時エネルギー量に、予め設定してある犬の成長度合いに従って区分した係数を掛けることにより求めていた。（例えば、非特許文献１参照。）。
【特許文献１】特開平１１−７６２１７号公報
【非特許文献１】坂根弘，「米国での取り組み」，ＰＲＯＶＥＴ，１９９９年２月，Ｐ６−１５
【発明の開示】
【発明が解決しようとする課題】
【０００４】
しかしながら、犬の歩様には、通常歩く時の左右の脚を交互に動かすウォーク及びトロット歩行と、早く走る時の左右をほぼ同時に動かすギャロップ歩行と呼ばれる脚運びがあり、各々運動量が異なるが、従来の歩数計ではこれを区別できなかった。
【０００５】
また、人間や動物に関わらず一般的に、安静時エネルギーを消費する生体組織は除脂肪であるとされ、脂肪組織による影響はほとんど無い、とされているが、従来の体重値に基づいて安静時エネルギーを求める式では、同じ体重であれば、筋肉質の犬と肥満傾向にある犬とが同じ安静時エネルギー量を消費することになり、運動管理を行う上で大きな誤差要因となっていた。
【０００６】
更に、安静時エネルギー量に一定の係数を掛けることにより算出された１日に必要なエネルギー量は、犬個別の運動量を反映しておらず正確ではなかった。
【０００７】
従って本発明は上述の問題点を解決し、犬の歩様別の運動量を反映させた、精度の高いエネルギー量の算出を可能とする犬用運動管理装置を提供することを目的とする。
【課題を解決するための手段】
【０００８】
上記課題を解決するために本発明は、犬の左右各脚の歩数を各々独立に検出する左右１対の歩数検出手段と、前記各歩数の検出のタイミングを比較して、犬の歩様を判別する歩様判別手段と、犬の体重を入力する体重入力手段と、前記各歩数と体重とから、前記歩様に伴う消費エネルギー量を算出する消費エネルギー量算出手段とを有する犬用運動管理装置を提供する。
【０００９】
また本発明は、犬の除脂肪量を入力する除脂肪量入力手段と、前記除脂肪量に基づいて安静時エネルギー量を算出する安静時エネルギー量算出手段とを更に有する。
【００１０】
更に本発明は、前記消費エネルギー量と安静時エネルギー量とから、１日に必要なエネルギー量を算出するエネルギー必要量算出手段を更に有する。
【００１１】
前記除脂肪量入力手段は、少なくとも犬の体長と胴周囲径とを入力する形態計測値入力手段を更に有し、前記形態計測値に基づいて除脂肪量を算出して入力する。
【００１２】
前記除脂肪量入力手段は、犬のインピーダンスを測定するインピーダンス測定手段を更に有し、前記インピーダンスに基づいて除脂肪量を算出して入力する。
【００１３】
前記体重入力手段は、少なくとも犬の体長と胴周囲径とを入力する形態計測値入力手段を更に有し、前記形態計測値に基づいて体重を算出して入力する。
【００１４】
前記歩様判別手段は、脚を左右交互に動かすトロット歩行と、左右同時に動かすギャロップ歩行とを判別する。
【発明の効果】
【００１５】
本発明の犬用運動管理装置は、犬の左右各脚の歩数を各々独立に検出する左右１対の歩数検出手段と、前記各歩数の検出のタイミングを比較して、犬の歩様を判別する歩様判別手段と、犬の体重を入力する体重入力手段と、前記各歩数と体重とから、前記歩様に伴う消費エネルギー量を算出する消費エネルギー量算出手段とを有することから、犬の運動量を正確に反映させた消費エネルギー量を算出することができ、精度の高い運動管理が可能である。
【００１６】
また本発明は、犬の除脂肪量を入力する除脂肪量入力手段と、前記除脂肪量に基づいて安静時エネルギー量を算出する安静時エネルギー量算出手段とを更に有することから、生体組織中、安静時においてエネルギーを消費する除脂肪組織に基づいた、正確なエネルギー量の算出が可能である。
【００１７】
更に本発明は、前記消費エネルギー量と安静時エネルギー量とから、１日に必要なエネルギー量を算出するエネルギー必要量算出手段を更に有することから、犬個別の運動量を反映させることにより、摂取エネルギー量、つまり食餌量を正確にコントロールすることが可能である。
【００１８】
前記除脂肪量入力手段は、少なくとも犬の体長と胴周囲径とを入力する形態計測値入力手段を更に有し、前記形態計測値に基づいて除脂肪量を算出して入力することにより、簡便に犬の除脂肪量を求めることができる。
【００１９】
前記除脂肪量入力手段は、犬のインピーダンスを測定するインピーダンス測定手段を更に有し、前記インピーダンスに基づいて除脂肪量を算出して入力することにより、公知のインピーダンス測定法に基づいて、より精度良く犬の除脂肪量を求めることができる。
【００２０】
前記体重入力手段は、少なくとも犬の体長と胴周囲径とを入力する形態計測値入力手段を更に有し、前記形態計測値に基づいて体重を算出して入力することにより、別途体重測定装置を必要とすることなく、簡便に体重値を推定することが可能である。
【００２１】
前記歩様判別手段は、脚を左右交互に動かすトロット歩行と、左右同時に動かすギャロップ歩行とを判別することにより、歩様による運動量の差異を明確にし、正確なエネルギー量を算出することが可能である。
【発明を実施するための最良の形態】
【００２２】
本発明は、犬の歩様別の運動量を反映させた精度の高いエネルギー量を算出し、運動量に基づく健康管理を実現させるものである。
【００２３】
本発明の犬用運動管理装置は、犬の左右各脚の歩数を各々独立に検出する左右１対の歩数検出手段と、前記各歩数の検出のタイミングを比較して、犬の歩様を判別する歩様判別手段と、犬の体重を入力する体重入力手段と、前記各歩数と体重とから、前記歩様に伴う消費エネルギー量を算出する消費エネルギー量算出手段とを有し、犬の運動量を正確に反映させた消費エネルギー量を算出する。
【００２４】
また、除脂肪量入力手段と、前記除脂肪量に基づいて安静時エネルギー量を算出する安静時エネルギー量算出手段と、前記消費エネルギー量と安静時エネルギー量とから、１日に必要なエネルギー量を算出するエネルギー必要量算出手段を有して構成する。
【実施例１】
【００２５】
本発明の実施例１は、犬の左右前脚の歩数を各々独立に検出し、前記歩数検出のタイミングにより犬の歩様を判別する。また犬の形態計測値から体重と体脂肪率とを推定し、前記歩様に伴う消費エネルギー量を算出する。更に前記体重と体脂肪率とから算出した除脂肪量に基づいて安静時エネルギー量を求め、前記消費及び安静時エネルギー量により１日に必要な摂取エネルギーを算出することにより、犬の運動量に基づく健康管理を可能とするものである。
【００２６】
ここで、本実施例において、前記体重と体脂肪率は、形態計測値として体長及び胴周囲径との相関によって得られる回帰式により求めるものであり、ここで体長は前後脚間距離とし、胴周囲径は、前脚付け根付近の胸囲径を指すものとする。
【００２７】
本発明の実施例１の構成を図１及び２を用いて説明する。図１は本装置の使用時の外観図であり、図２は本装置の電気ブロック図である。
【００２８】
まず図１より、本犬用運動管理装置１は、犬の胸部及び前脚部に装着する前脚部ハーネス２と本体部３から成り、前脚部ハーネス２は左右一対の歩数検出センサを備え、各々左用歩数検出センサ４１と図示しない右用歩数検出センサ４２から成る。また、前脚部ハーネス２を形成するロープ５と、前記前脚部ハーネス２を犬の胸部にぴったりと合わせて装着するため、前記ロープ５の長さを調節するハーネス調節部６とを備えて成る。
【００２９】
前記本体部３は、飼い主が握る把持部７、データ入力等行う操作部８及び結果を表示する表示部９を備えて成り、リード部１０により前記前脚部ハーネス２と接続して構成される。また、前記歩数検出センサ４１及び４２により検出された各信号は、リード部１０を介して本体部３に送信される。
【００３０】
また、図２の電気ブロック図に従って説明すると、前脚部ハーネス２内の前記歩数検出センサ４１及び４２は、本体部３内の制御部１１に接続されている。また本体部３内においては、前記操作部８及び表示部９が制御部１１に接続されており、また各種エネルギー算出式や取得したデータ等を記憶しておくメモリ部１２と、前記歩数検出センサ４１及び４２から得られる各信号より、トロット歩行かギャロップ歩行かを判定する歩様判定部１３と、各種算出式に従って体脂肪率や消費エネルギーなどを演算する演算部１４とが制御部１１に接続されている。また本装置に電力を供給する電源１５及び、日時を計時する計時部１６を備えて構成されている。
【００３１】
本発明の実施例１の動作を図３乃至図９を用いて説明する。まず、図３は本犬用運動管理装置１のメイン動作を示すメインフローチャートであり、図４はメイン動作時の結果表示の一例である。また、図５は基礎データを習得するサブルーチンを示したものであり、図６及び図７は各々体重及び体脂肪率と形態計測値との関係を示したグラフであり、図８は基礎データ習得時の表示の一例である。更に、図９は歩数検出及び歩様判定のサブルーチンを示したものである。
【００３２】
まず、図３及び図４を用いてメイン動作を説明する。まず、操作部８内の電源スイッチにより電源オンすると、ステップＳ１において、本犬用運動管理装置１の初期設定がなされ、歩様判定部１３において、後述するトロット歩数（以下、ｎとする）カウンタｎ＝０とし、ギャロップ歩数（以下、ｉとする）カウンタｉ＝０とする。また計時部１６より日付及び時刻を読み込む。
【００３３】
続くステップＳ２において、図５を用いて後述する基礎データを習得するサブルーチンに移行する。ここでは、犬の胸囲及び体長を入力し、予め設定してある回帰式を用いて犬の体重値及び体脂肪率を算出し、更に前記体重値と体脂肪率とから算出した除脂肪量に基づいて安静時エネルギー量を算出するものである。
【００３４】
基礎データの習得が終了すると、ステップＳ３において、歩数検出のために操作部８内の測定スイッチがオンされたかどうか判断される。スイッチが押されていない場合にはＮＯに進み、測定開始スイッチオンの検出を繰り返し、スイッチが押されるとＹＥＳに進み、ステップＳ４において、図９を用いて後述する歩数検出及び歩様判定のサブルーチンに進む。すなわち、前記左右の各歩数検出センサ４１及び４２から、各々独立に歩数を検出し、両歩数のタイミングに基づいて、歩様を判定するものである。
【００３５】
歩様が判定されると、ステップＳ５において、測定終了かどうか判断される。ここで、測定の終了は、操作部６内の測定スイッチがオフされるか、又は計時部１６により日付の変更が検出されるか、何れかによるものとする。測定終了されなかった場合にはＮＯに進み、再びステップＳ４において歩数検出及び歩様判定を繰り返し、測定終了と判断された場合ＹＥＳに進み、ステップＳ６において消費エネルギーを算出する。
【００３６】
前記ステップＳ６において、前記ステップＳ２の基礎データ習得において算出した体重値（以下、Ｗとする）を用いて、前記各歩様に従い消費エネルギー量（以下、ＥＥＲと言う）を算出する。すなわち、前記各歩数ｎ及びｉに従って、ＥＥＲ＝ａ×Ｗ×ｎ＋ｂ×Ｗ×ｉの式により算出する。ここで、体重と歩数とを用いたＥＥＲの算出に関しては、一般的にＥＥＲ＝係数×歩幅×歩数×体重、なる式により示されてきたが、歩幅と体重との間には、歩幅∝（体重）−１／３なる比例関係が成り立つとされていることから、上式が成り立つ。また、ａ及びｂはａ<ｂなる定数であり、例えば、予め各歩様別に犬をトレッドミル上で歩行させると同時に呼気分析を行い、呼気分析結果から得られるＥＥＲと、体重値と歩数との相関から定数を算出する。
【００３７】
ステップＳ７において、１日に必要とするエネルギー量（以下、エネルギー必要量と言う）を、前記ステップＳ２において基礎データとして習得された安静時エネルギー量（以下、ＲＥＲと言う）の範囲と前記ＥＥＲとから算出する。すなわち、エネルギー必要量＝（ＲＥＲ＋ＥＥＲ）／０．９なる式により推定する。ここで一般的に、犬の１日のエネルギー消費の内訳は、ＲＥＲとＥＥＲとで９０％程度占めており、残り１０％程度は食餌や環境による熱生産であるとされている。従って、本装置を用いて算出されるエネルギー必要量は上式のように示される。
【００３８】
ステップＳ８において、図４に示した表示例のように、トロット及びギャロップ歩行時の各歩数、全歩数、及び前記算出したＥＥＲとエネルギー必要量とを表示部９に表示し、以上のデータをメモリ部１２に格納する。
【００３９】
続いてステップＳ９において、前記ステップＳ５の測定終了で、測定ＯＦＦスイッチが押されたのか、又は日付が変更されたのか、何れにより測定が終了したのかが判定される。すなわち、操作部６内の測定スイッチをオフして終了させた場合、ステップＳ３まで戻り、測定ＯＮスイッチの検出を行う。また、日付変更時には自動で測定を終了し、ステップＳ１まで戻る。
【００４０】
次に、図５乃至図８を用いて基礎データ習得時の動作を説明する。
【００４１】
図３のステップＳ１において初期設定がなされると、図５のステップＳ１１において、犬の胸囲径及び体長がメモリ部１２に記憶されているかどうか自動で判断する。記憶されていればＹＥＳに進み、ステップＳ１２において、メモリ部１２内の胸囲径及び体長を読み込み表示部９に表示する。また記憶されていなければＮＯに進み、ステップＳ１３において、操作部８内のアップ／ダウンキー及び決定キーとを用いて、予め別途メジャー等で測定しておいた胸囲径と体長とを入力する指示を表示部９に表示する。前記ステップＳ１２又はステップＳ１３に従って、ステップＳ１４においては、操作部８内のアップ／ダウンキーにより数値を設定し決定キーにより入力する。胸囲径及び体長共に決定キーが押されると、入力完了となりメモリ部１２に記憶される。
【００４２】
ステップＳ１５において、予め設定してある、胸囲径及び体長とから得られる形態パラメータと、体重との相関より得られる回帰式をメモリ部１２より読み込み、前記入力した胸囲径及び体長とから体重値Ｗを求める。この回帰式は例えば、図６に示すように、Ｗ＝α{体長×（胸囲径）２}＋βで表されるものとする。ここで、α及びβは定数である。
【００４３】
続いてステップＳ１６において、予め設定してある、胸囲径及び体長とから得られる形態パラメータと、ＤＥＸＡ測定により算出された体脂肪率との相関より得られる回帰式をメモリ部１２より読み込み、前記入力した胸囲径及び体長とから体脂肪率を求める。この回帰式は例えば、図７に示すように、体脂肪率＝γ×（胸囲径／体長）＋δで表されるものとする。ここで、γ及びδは定数である。
【００４４】
ステップＳ１７において、前記算出した体重値及び体脂肪率により、除脂肪量を算出し、続くステップＳ１８において、この除脂肪量に基づいて犬のＲＥＲを求める。すなわち、ＲＥＲの生成は除脂肪組織により行われることから、呼気分析により得られるＲＥＲとＤＥＸＡ測定により算出された除脂肪量との相関から、予め設定してある回帰式によって算出される。この回帰式は例えば、ＲＥＲ＝ｊ×除脂肪量＋ｋで表され、ｊ及びｋは定数である。
【００４５】
ステップＳ１９において、前記算出した体重値、体脂肪率及び除脂肪量、及び前記ＲＥＲ範囲とを、メモリ部１２に記憶した後、図８に示すように表示部９に表示して図３のメインフローチャートに戻る。
【００４６】
また、図９を用いて歩数検出及び歩様判定時の動作を説明する。
【００４７】
図３のステップＳ３において測定スイッチがオンされると、図９のステップＳ２１において、前記左右の各歩数検出センサ４１及び４２による信号の検出を一旦リセットした後、歩数検出を開始する。すなわち、前記各歩数検出センサ４１及び４２からの信号が各々独立に、制御部１１を介して歩様判定部１３に送信される。
【００４８】
続くステップＳ２２において、前記左右の各歩数検出センサ４１及び４２の内、何れか一方の信号が検出されたかどうか判断する。検出されない場合ＮＯに進み、検出を繰り返し、信号が検出されるとＹＥＳに進み、ステップＳ２３において、計時部１６により左右の信号の時間差（以下、ｔとする）、つまり左右の歩行のタイミングを計時するタイマーをセットする。
【００４９】
ステップＳ２４において、予め設定した時間差以上経過したかどうか判断される。ここでは例えばｔ＝５（ｓｅｃ）とすると、５（ｓｅｃ）以上経過した場合ＹＥＳに進み、ステップＳ２１まで戻り、前記検出した一方の歩数検出センサの信号をリセットした後、再び歩数の検出を開始する。
【００５０】
また、５（ｓｅｃ）経過していない場合ＮＯに進み、ステップＳ２５において、前記ステップＳ２２において歩数を検出したセンサとは逆側のセンサによって、歩数が検出されたかどうか判断される。逆側の歩数が検出されない場合ＮＯに進み、再びステップＳ２４においてｔが５（ｓｅｃ）以上経過したかどうか判定を繰り返す。
【００５１】
逆側の歩数が検出された場合ＹＥＳに進み、ステップＳ２６において前記検出した左右の歩行のタイミングｔに基づいて歩様が判定される。すなわち、歩様判定部１３において、予め設定してある歩様判定の閾値ｔ＝ｘ（ただし、０<ｘ<５）により、ｔ≧ｘであれば左右交互に脚を着いたトロット歩行であると判定しＹＥＳに進み、ステップＳ２７において、前記トロット歩数としてｎ＝ｎ＋１とカウントする。また、ｔ≦ｘであれば、左右ほぼ同時に脚を着いたギャロップ歩行であると判定しＮＯに進み、ステップＳ２８において前記ギャロップ歩数としてｉ＝ｉ＋１とカウントする。ステップＳ２７又はＳ２８において、歩様に伴う歩数がカウントされると、サブルーチンを終了し、再び図３のメインフローチャート戻る。
【００５２】
なお、本実施例においては、前後脚間距離を体長として定義したが、犬の頭部付近から尻尾付け根付近までを、骨の位置等により正確に計測可能な距離を定義すれば良く、例えば、鼻先、目の位置、頚椎（首の骨）の付け根、又は上腕骨と肩甲骨との関節位置の内、何れかを始点とし、尾の付け根、肛門又は大腿骨の内、何れかを終点として、始点及び終点間距離を体長として定義しても良い。
【００５３】
また、前記定義した体長と相関のある部位の距離を、前記体長に代えて入力しても良い。例えば、犬の後脚の爪先から踵までの長さ（以下、後脚長と言う）は、図１０に示すように体長と高い相関があり、体長＝ε×後脚長＋ζなる式により表される。ここで、ε及びζは定数である。よって、図５に示した基礎データ習得サブルーチンにおいて、前記体長に代えて予め測定した後脚長を入力し、ステップＳ１４において、数値入力完了後メモリ部１２に記憶させる直前に、図１０で示された関係に基づいて体長を算出することにより、続くステップＳ１５及びステップＳ１６において、同様に体重値及び体脂肪率の算出が可能である。
【実施例２】
【００５４】
本発明の実施例２は、犬に装着するハーネスに前記胸囲径と体長とを自動計測する計測部を備えることにより、より簡便な測定を可能とし、更に生体インピーダンス測定装置を備え、この生体インピーダンスに基づいて犬の体脂肪率を正確に算出することにより、より精度の高い運動管理を可能とするものである。
【００５５】
実施例２の構成を図面を用いて説明する。図１１は実施例２の外観図であり、図１２は胸囲径計測部の詳細図であり、図１３は電気ブロック図であり、図１４は実施例２の基礎データ習得のサブルーチンである。ここで、メイン動作は実施例１において図５により示したメインフローチャートと同じ動作である。
【００５６】
なお、実施例１と同じ構成部分に関しては、同じ符号を用いて説明する。
【００５７】
まず、図１１を用いて実施例２の構成を説明する。実施例２は図１を用いて示した実施例１の構成に次のものを追加して構成されている。すなわち、犬の後脚に装着する後脚部ハーネス２０と、この後脚部ハーネス２０と前記前脚部ハーネス２とを接続し、体長を計測する体長計測部２１を備えた。また、図１において前脚部ハーネス２を犬にぴったりと装着するために設けたハーネス調節部６に代えて、図１２を用いて後述する胸囲径計測部２２を備えた。
【００５８】
更に、前脚部ハーネス２及び後脚部ハーネス２０に、各々２個ずつインピーダンス測定電極を配し、各ハーネス２及び２０装着に伴い各電極を動物の皮膚に接触させるものである。犬の身体の外側に接触させる電極を電流印加電極２３とし、内側を電圧測定電極２４として公知の４電極法によりインピーダンスを測定する。またこの時、電極は体毛を避けて皮膚表面に接触させるため、例えば電極表面が複数の突起状を成し、突起先端が体毛を掻き分けて皮膚表面に接触するような電極を用いる。
【００５９】
ここで、前記体調計測部２１は、犬の体長に合わせて長さが可変であり、図示しないエンコーダによって長さを自動計測することにより、犬の体長を計測するものである。
【００６０】
また図１２を用いて前記胸囲径計測部２２を説明する。図１２は、図１１において前記胸囲径計測部を図中Ａ方向から見た一部断面図である。左右のロープ５の両端は中央部で１つに接続され、接続部をベース部２５から引き出すことにより左右のロープ５が各々同じ長さだけ締められ、犬の胸部にぴったり装着することができる。ベース部２５の内部にはロープ５を引き出した後引き戻されないようにするストッパー２６と、引き出した分の長さを計測するエンコーダ２７とを備えており、ロープ５の全長から、引き出された分の長さの差を取ることにより、犬の胸部に装着されている分のロープ５の長さ、すなわち胸囲径を算出することができる構造となっている。
【００６１】
図１３は実施例２の電気ブロック図である。図２に示した実施例１の電気ブロック図との差異を次に示す。前記前脚部ハーネス２及び新たに設けた後脚部ハーネス２０内において、前記体長計測部２１と胸囲径計測部２２とが、前記歩数検出センサ４１及び４２と同様に、リード１０を介して本体部３内の制御部１１に接続されて成る。更に、前脚及び後脚の各電流印加電極２３及び電圧測定電極２４も制御部１１に接続されて成る。
【００６２】
図１４に示す基礎データ習得時のサブルーチンを用いて、実施例２の基礎データ習得にかかる動作を説明する。メイン動作は実施例１と同様に図３で表されるメインフローチャートと同様であるため、図３のステップＳ１において初期設定が終了すると、図１４のステップＳ３１において、前脚部及び後脚部ハーネス２及び２０が犬にしっかり装着され、測定準備が整っているかどうかを本体部３の操作部８により計測スイッチが押されたかどうかにより判断する。計測スイッチが押されていなければＮＯに進み検出を繰り返し、計測スイッチが押されると、前記前脚部及び後脚部ハーネス２及び２０が犬に装着され測定準備が整っていると判断しＹＥＳに進み、ステップＳ３２において、犬の形態計測を行う。すなわち、前記体長計測部２１を用いて犬の体長を自動で計測する。また前記胸囲径計測部２２によりロープ５を引き出した分の長さを、制御部１１を介し演算部１４に送信して胸囲径を算出し、体長と胸囲径をメモリ部１２に記憶する。
【００６３】
体長及び胸囲径の計測が終わると、続いてステップＳ３３において、生体インピーダンス測定が自動で行なわれる。制御部１１を介して、電源１５からインピーダンス測定用交流電流を電流印加電極２３より生体に印加し、前記電流印加電極２３よりも内側に配した電圧測定電極２４により電圧を測定し、再び制御部１１を介してメモリ部１２に記憶される。
【００６４】
ステップＳ３４において、前記体長及び胸囲径から得られるパラメータと体重との相関より得られる回帰式に基づいて体重値を推定し算出する。この回帰式は実施例１において図５のステップＳ１５により示した回帰式、Ｗ＝α{体長×（胸囲径）２}＋βと同様である。
【００６５】
更にステップＳ３５において、前記測定した生体インピーダンス値と前記算出した体重値とに基づいて予め設定されている回帰式より体脂肪率を求める。この回帰式は、ＤＥＸＡ測定により導出した体脂肪率と、生体インピーダンス及び体重との相関から得られる式である。
【００６６】
以下、ステップＳ３６からステップＳ３８は実施例１において図５に示した基礎データ習得サブルーチンにおけるステップＳ１７からステップＳ１９と同様の動作である。すなわち、前記算出した体重と体脂肪率とから除脂肪量を求め、この除脂肪量に基づくＲＥＲ算出の回帰式、ＲＥＲ＝ｊ×除脂肪量＋ｋによりＲＥＲを算出し、結果を表示部９に表示して、再び図3のメインフローチャートに戻る。
【００６７】
なお、本実施例においては、体長及び胸囲径に基づいて、メモリ部８内に格納してある回帰式を用いて体重又は体脂肪率を算出したが、前記回帰式を予め犬種別に複数設定しておき、図５及び図１４に示した基礎データ習得時に犬種を入力して、前記犬種に合った回帰式を選択することにより、より精度の高い体重及び体脂肪率の算出が可能となる。
【００６８】
また、消費エネルギー量ＥＥＲ算出において、トロット歩行及びギャロップ歩行の各歩数と体重とから求めたが、歩行に影響を与える脚の長さをパラメータとして加えることにより、より正確なＥＥＲの算出が可能である。すなわち、前記各歩数、体重及び脚の長さとを入れたパラメータと、前記ＥＥＲとの重相関から回帰式を得るものである。
【００６９】
更に、図５及び図１４の基礎データ習得サブルーチンにおいて、各々ステップＳ１８及びステップＳ３７のＲＥＲの算出においては、前述した回帰式ＲＥＲ＝ｊ×除脂肪量＋ｋ（以下、式１と言う）により、除脂肪量に基づいてＲＥＲを算出したが、従来より用いられてきた体重に基づくＲＥＲ算出式、すなわちＲＥＲ＝７０×（Ｗ）０．７５（以下、式２と言う）を用いても良い。
【００７０】
すなわち、前記式２は体重が同じであればＲＥＲも同じであるというものであるが、実際はＲＥＲのほとんどが除脂肪組織により生成される。従って、前記式２における体組成分布を次のように示す。図１５は前記式２のグラフである。例えば体重値ｗにおいて、前記式２より上側はＲＥＲが大きいため除脂肪量が多く、逆に下側は脂肪量が多い。よって前記式２は体組成分布において平均値を示していると見なせる。この平均値は、発明者によるＤＥＸＡを用いた実測結果によると、体脂肪率が１４．２（％ＦＡＴ）であるという結果が得られた。ここで、前記式２算出時の被検体の母集団と前記ＤＥＸＡを用いた実測時の被検体の母集団とを統計的に差がないと見なし、式２は体脂肪率１４．２（％ＦＡＴ）の時の体重とエネルギーの関係を示していると見なすことができる。
【００７１】
以上により、例えば、体重値ｗ１＝１０（ｋｇ）、体脂肪率２５（％ＦＡＴ）の犬のＲＥＲを求める場合、前記体重値ｗ１と体脂肪率とからこの犬の除脂肪量は、７．５（ｋｇ）と算出され、この除脂肪量に基づき、前記体脂肪率が１４．２（％ＦＡＴ）の時の体重値ｗ２を求める。すなわちｗ２＝８．７（ｋｇ）と算出される。ｗ２を前記式２に代入して、ＲＥＲ＝３５５（ｋｃａｌ）として、除脂肪量に基づくＲＥＲが算出される。ＲＥＲは除脂肪組織により生成されることから、体重に関わらず除脂肪量が同じであれば同じＲＥＲが算出される。
【図面の簡単な説明】
【００７２】
【図１】実施例１の使用時外観図である。
【図２】実施例１の電気ブロック図である。
【図３】実施例１のメイン動作を示すメインフローチャートである。
【図４】表示の一例である。
【図５】実施例１の基礎データ習得時の動作を示すサブルーチンである。
【図６】体重と形態計測値との関係を示したグラフである。
【図７】体脂肪率と形態計測値との関係を示したグラフである。
【図８】表示の一例である。
【図９】実施例１の歩数検出及び歩様判定の動作を示すサブルーチンである。
【図１０】体長と後脚長との関係を示したグラフである。
【図１１】実施例２の使用時外観図である。
【図１２】胸囲径計測部の詳細図である。
【図１３】実施例２の電気ブロック図である。
【図１４】実施例２の基礎データ習得時の動作を示すサブルーチンである。
【図１５】体重と安静時エネルギーとの関係を示すグラフである。
【符号の説明】
【００７３】
１    犬用運動管理装置
２    前脚部ハーネス
３    本体部
４１  左用歩数検出センサ
４２  右用歩数検出センサ
５    ロープ
６    ハーネス調節部
７    把持部
８    操作部
９    表示部
１０  リード部
１１  制御部
１２  メモリ部
１３  歩様判定部
１４  演算部
１５  電源
２０  後脚部ハーネス
２１  体長計測部
２２  胸囲径計測部
２３  電流印加電極
２４  電圧測定電極
２５  ベース部
２６  ストッパー
２７  エンコーダ
【図１】
2005087442.tif 000003
【図２】
2005087442.tif 000004
【図３】
2005087442.tif 000005
【図４】
2005087442.tif 000006
【図５】
2005087442.tif 000007
【図６】
2005087442.tif 000008
【図７】
2005087442.tif 000009
【図８】
2005087442.tif 000010
【図９】
2005087442.tif 000011
【図１０】
2005087442.tif 000012
【図１１】
2005087442.tif 000013
【図１２】
2005087442.tif 000014
【図１３】
2005087442.tif 000015
【図１４】
2005087442.tif 000016
【図１５】
2005087442.tif 000017